(57)【要約】  【課題】  電話機を移動する際、電話機本体にハンドセットが確実に固定できる電話機を提供する。  【解決手段】  電話機本体１に設けられたハンドセット載置部６の受話部載置部６ａに設けられ、かつ電話機本体１を壁に掛けて使用する際、不使用位置より使用位置へ回動自在な係止部材７ｂを有するハンドセット保持手段７と、ハンドセット保持手段７と対向するよう受話部載置部６ａに設けられ、かつハンドセット載置部６ａに載置されたハンドセット２の受話部２ａをハンドセット保持手段７側へ押し付けることにより、係止部材７ｂとの間で受話部２ａを固定するハンドセット固定手段８とからなり、移動の途中に電話機本体１よりハンドセット２が外れることがないため、ハンドセット２がガタついたり、ハンドセット２により電話機本体１を傷付けることがない。【選択図】  図２
2005184199.tif 000002
【特許請求の範囲】
【請求項１】
卓上に載置し、または壁に掛けて使用する電話機本体と、前記電話機本体に設けられたハンドセット載置部に着脱自在に載置されたハンドセットとからなる電話機であって、前記ハンドセット載置部の受話部載置部に設けられ、かつ前記電話機本体を壁に掛けて使用する際、不使用位置より使用位置へ回動自在な係止部材を有するハンドセット保持手段と、前記ハンドセット保持手段と対向するよう前記受話部載置部に設けられ、かつ前記ハンドセット載置部に載置された前記ハンドセットの受話部を前記ハンドセット保持手段側へ押し付けることにより、前記係止部材との間で前記受話部を固定するハンドセット固定手段とを具備したことを特徴とする電話機。
【請求項２】
前記ハンドセット固定手段を、前記受話部載置部の周辺部に軸ピンにより回動自在に枢着され、かつ前記ハンドセットを固定する際前記受話部側へ突出する固定部材により形成してなる請求項１に記載の電話機。
【請求項３】
前記軸ピンの近傍に、前記固定部材をハンドセット固定位置にロックするロックピンを設けてなる請求項２に記載の電話機。
【請求項４】
前記固定部材の前記受話部と当接する面を前記受話部の形状と合致する面で形成してなる請求項２または３に記載の電話機。
【発明の詳細な説明】
【技術分野】
【０００１】
本発明は、電話機を移動する際、電話機本体にハンドセットが確実に固定できる電話機に関する。
【背景技術】
【０００２】
従来、卓上等に載置して使用したり、壁に掛けて使用する固定電話機は、電話機本体とハンドセットから構成されていて、電話機本体とハンドセットの間は有線（カールコード）または無線（コードレス）により接続されている。
【０００３】
また電話機本体にはハンドセット載置部が設けられていて、ハンドセットを使用しないときには、このハンドセット載置部にハンドセットを載置しているが、引越し等のために電話機を移動する場合、ハンドセットがガタつかないよう粘着テープやゴムバンド等によりハンドセットを電話機本体に固定している。
【０００４】
しかしこの方法では、粘着テープやゴムバンド等の別部材を必要とする上、移動後は粘着テープやゴムバンドを取らないとハンドセットが使用できず面倒であり、取外した粘着テープやゴムバンドがゴミとして廃棄されるため、資源が無駄になったり、ゴミが増える等の問題がある。
【０００５】
一方電話機本体にハンドセット固定手段を設けた電話機が例えば特許文献１や、特許文献２で公知となっている。
【特許文献１】特開２００２−３５４０９３号公報
【特許文献２】特開２０００−２５３１２０号公報。
【０００６】
特許文献１に記載された電話機は、突起部を有する回動体を回動自在に設けると共に、送話部載置側に、ハンドセットの送話部を係止する受話器支持部を設けたもので、電話機を卓上で使用する場合は、回動体を回動して載置面を上向きにしてハンドセットの受話部をこの載置面に載置し、電話機を壁に掛けて使用する場合は、突起部が表出するよう回動体を回動して、突起部と受話器支持部の間でハンドセットを保持するように構成されている。
【０００７】
また特許文献２に記載された電話機は、ハンドセット載置部の受話部載置側に、スプリングにより押え方向に付勢されたアームよりなるハンドセット押えを設けると共に、送話部載置側に、ハンドセット引掛け部を形成したもので、ハンドセット押え部によりハンドセットを電話機本体に強固に固定できるようになっている。
【発明の開示】
【発明が解決しようとする課題】
【０００８】
しかし前記特許文献１に記載された電話機では、電話機を壁にかけて使用する際、ハンドセットを引っ張るだけで簡単に電話機本体よりハンドセットが外れるようにする必要があることから、電話機本体より簡単にハンドセットが取り外せる構造となっている。
【０００９】
このため、引越し等により電話機を移動する際、移動の途中で電話機本体よりハンドセットが外れる虞があり、移動時の固定手段としては使用できない等の問題がある。
【００１０】
また特許文献２に記載された電話機では、電話機本体よりハンドセットを脱着する際、その都度ハンドセット押えの押え強さに抗してハンドセットを取り外したり、差し込む操作を必要とするため、操作性が悪いと共に、アーム及びローラ状のハンドセット押え部が常にハンドセット上に表出するので見栄えが悪い上、部品点数も多いため部品コストが嵩む等の問題もある。
【００１１】
本発明にかかる従来の問題を改善するためになされたもので、電話機を移動する際、電話機本体にハンドセットが確実に固定できる電話機を提供することを目的とするものである。
【課題を解決するための手段】
【００１２】
本発明の電話機は、卓上に載置し、または壁に掛けて使用する電話機本体と、電話機本体に設けられたハンドセット載置部に着脱自在に載置されたハンドセットとからなる電話機であって、ハンドセット載置部の受話部載置部に設けられ、かつ電話機本体を壁に掛けて使用する際、不使用位置より使用位置へ回動自在な係止部材を有するハンドセット保持手段と、ハンドセット保持手段と対向するよう受話部載置部に設けられ、かつハンドセット載置部に載置されたハンドセットの受話部をハンドセット保持手段側へ押し付けることにより、係止部材との間で受話部を固定するハンドセット固定手段とから構成したものである。
【００１３】
前記構成により、引越し等により電話機を移動する場合、ハンドセット固定手段によりハンドセット載置部に載置されたハンドセットの受話部をハンドセット保持手段側へ押し付けるだけでハンドセットを強固に電話機本体に固定することができるため、移動の途中で電話機本体よりハンドセットが外れることがなく、これによってハンドセットがガタついたり、ハンドセットにより電話機本体を傷付けることがないと共に、電話機の使用中は、ハンドセット固定手段を操作する必要がないため、操作性も向上する。
【００１４】
本発明の電話機は、ハンドセット固定手段を、受話部載置部の周辺部に軸ピンにより回動自在に枢着され、かつハンドセットを固定する際受話部側へ突出する固定部材により形成したものである。
【００１５】
前記構成により、固定部材を回動するだけで、ハンドセットを固定したり解放することができるため、ハンドセットの固定や解放作業が容易に行えると共に、不使用時は固定部材が受話部載置部側へ突出することがないので、邪魔になったり見栄えが悪くなることがない上、固定部材が電話機本体より離脱することがないので紛失する心配もない。
【００１６】
本発明の電話機は、軸ピンの近傍に、固定部材をハンドセット固定位置にロックするロックピンを設けたものである。
【００１７】
前記構成により、固定部材をハンドセット固定位置にロックできるため、輸送中や移動中の振動等により固定部材がハンドセットより外れることがない。
【００１８】
本発明の電話機は、固定部材の受話部と当接する面を受話部の形状と合致する面で形成したものである。
【００１９】
前記構成により、固定部材とハンドセットの受話部が面接触となるため面圧を上げることにより、より強固にハンドセットが固定できると共に、固定部材によりハンドセットを傷付けることもない。
【発明の効果】
【００２０】
本発明の電話機によれば、移動の途中で電話機本体よりハンドセットが外れることがないため、ハンドセットがガタついたり、ハンドセットにより電話機本体を傷付けることがないと共に、電話機の使用中は、ハンドセット固定手段を操作する必要がないため、操作性も向上する。
【発明を実施するための最良の形態】
【００２１】
本発明の実施の形態を、図面を参照して詳述する。
【００２２】
図１は電話機の平面図、図２は図１のＡ−Ａ線に沿う拡大断面図、図３はハンドセット保持手段の分解斜視図、図４はハンドセット保持手段の不使用時の斜視図、図５は同使用時の斜視図、図６はハンドセット固定手段の分解斜視図、図７はハンドセット固定手段の不使用時の斜視図、図８は同使用時の斜視図である。
【００２３】
図１に示す電話機は、ほぼ偏平な箱形に形成された電話機本体１とハンドセット２よりなる。
【００２４】
電話機本体１の前面は、テンキー３や機能ボタン４、表示器５等が設けられた操作パネル１ａとなっており、操作パネル１ａの例えば左側にハンドセット載置部６が形成されている。
【００２５】
ハンドセット載置部６は、ハンドセット２の受話部２ａを載置する受話部載置部６ａと、ハンドセット２の送話部２ｂを載置する送話部載置部６ｂとからなり、何れもハンドセット２が安定した状態で載置できるよう、受話部２ａ及び送話部２ｂの前面に合せて傾斜する底面を有する凹部により形成されている。
【００２６】
ハンドセット載置部６の受話部載置部６ａには、図２ないし図８に示すようなハンドセット保持手段７とハンドセット固定手段８が設けられている。
【００２７】
ハンドセット保持手段７は、電話機本体１を壁に取り付けて、電話機を壁掛け用として使用する場合に、ハンドセット載置部６よりハンドセット２が脱落しないように保持するもので、受話部載置部６ａの、送話部載置部６ｂ側に寄った外周部に設置されている。
【００２８】
ハンドセット保持手段７は、受話部載置部６ａの外周部を切り欠くことにより形成された凹部７ａ内に係止部材７ｂが回動自在に設けられている。
【００２９】
係止部材７ｂは、受話部載置部６ａの底面に出没自在に設けられたフックレバ９と対向するように設けられていて、断面がほぼＬ字形に形成されており、屈曲部の両側面に設けられたピン孔７ｃが凹部７ａの両側壁７ｄより突設された軸ピン７ｅに嵌合されていて、軸ピン７ｅを中心に図４に示す保持手段７の不使用位置及び図５に示す使用位置に回動できるようになっており、軸ピン７ｅの近傍には、係止部材７ｂを図２及び図５に示す使用位置に停止するストッパピン７ｆが突設されている。
【００３０】
ハンドセット保持手段７の使用時、凹部７ａより受話部載置部６ａの外周部付近に突出する係止部材７ｂの一端側には、電話機本体１を壁面に取り付けた際ほぼ垂直となるようフック状の係止部７ｈが形成されていて、この係止部７ｈの先端に、ハンドセット２の受話部２ａ外周面に形成された係止凹部２ｃが引掛けられるようになっている。
【００３１】
一方ハンドセット載置部６の受話部載置部６ａには、フックレバー９を挟んでハンドセット保持手段７と対向する位置に、ハンドセット固定手段８が設けられている。
【００３２】
ハンドセット固定手段８は、電話機本体１に対してハンドセット２を固定するもので、特に、図２および図６に示すように受話部載置部６ａの外周部を切り欠くことにより形成された凹段部８ａ内に固定部材８ｂが設けられている。
【００３３】
固定部材８ｂは一端側に平坦な受話部当接面８ｆが形成されたブロック状となっていて、両端面のほぼ中央に軸ピン８ｃが突設されており、軸ピン８ｃは、凹段部８ａの両側壁８ｄに形成されたピン孔８ｅに回動自在に嵌合されている。なお、受話部当接面８fはハンドセット２の受話部２ａに当接する面であり、本実施の形態では受話部２ａの外周面の上側が図１に示すように平坦であるため、平坦な形状としている。受話部２ａの外周面の上側が曲面の場合は、受話部当接面８ｆをその曲面に合致するように形成する。
【００３４】
固定部材８ｂは、電話機の使用時には図７に示すように直立状態になっていて、受話部載置部６ａに載置されるハンドセット２の受話部２ａと干渉しないようになっており、電話機本体１にハンドセット２を固定する場合には、軸ピン８ｃを中心に図２及び図８に示すようにほぼ水平に回動することにより、受話部当接面８ｆが受話部２ａの外周面に圧接できるようになっている。
【００３５】
固定部材８ｂの両端面に突設された軸ピン８ｃの近傍にはロックピン８ｇが突設されていて、固定部材８ｂを固定位置に回動した際、側壁８ｄに形成されたロック孔８ｈに嵌合することにより、固定部材８ｂをハンドセット固定位置にロックするようになっている。
【００３６】
また電話機本体１とハンドセット２はカールコード１０により接続されている。
【００３７】
次に前記構成された電話機の作用を説明する。
【００３８】
電話機を引越し等のために移動する場合は、電話機本体１に対してハンドセット２を固定して運ぶ必要があるが、電話機本体１に対してハンドセット２を固定する場合、まずハンドセット載置部６の受話部載置部６ａに設けられたハンドセット保持手段７を使用位置にする。
【００３９】
すなわち係止部７ｈが凹部７ａ内に収納されている図４に示す不使用位置から、軸ピン７ｅを中心に係止部材７ｂを回動して、係止部７ｈを有する一端側を図５に示すように凹部７ａの上方へ突出させ、この状態でハンドセット載置部６に載置したハンドセット２の受話部２ａ外周に設けた係止凹部２ｃを、図２に示すように係止部材７ｂの係止め部７ｈに係合する。
【００４０】
次にハンドセット固定手段８の固定部材８ｂを軸ピン８ｃを中心に回動させて、一端側の受話部当接部面８ｆを受話部２ａの外周面に圧着させることにより、ハンドセット２の受話部２ａがハンドセット保持手段７の係止部材７ｂと、ハンドセット固定手段８の固定部材８ｂの間に挟着されるため、電話機本体１のハンドセット載置部６にハンドセット２を強固に固定することができる。
【００４１】
また固定部材８ｂを回動した際、固定部材８ｂの端面に突設されたロックピン８ｇが凹段部８ａの側壁８ｄに形成されたロック孔８ｈに嵌合されるため、固定部材８ｂが固定位置にロックされる。
【００４２】
以上のようにしてハンドセット２を電話機本体１に固定することにより、移動中に強い振動や衝撃が加わっても、電話機本体１よりハンドセット２が外れることがない。
【００４３】
一方電話機を使用する場合は、まずハンドセット固定手段８の固定部材８ｂを固定時と反対の方向へ回動してハンドセット２を解放し、電話機を卓上で使用する場合は、ハンドセット保持手段７の係止部材７ｂをさらに回動して、係止部材７ｂを図４に示す不使用位置にする。
【００４４】
そしてこの状態でハンドセット２を電話機本体１のハンドセット載置部６に載置して使用するもので、ハンドセット保持手段７の係止部材７ｂや、ハンドセット固定手段８の固定部材８ｂがハンドセット載置部６受話部載置部６ａ内へ突出することがないので、ハンドセット２を脱着する際これらが邪魔になることがない。
【００４５】
また電話機を壁掛け用として使用する場合は、電話機本体１を壁面に取り付けた後、ハンドセット保持手段７の係止部材７ｂを図５に示す使用位置に回動して、係止部材７ｂの係止部７ｈを凹部７ａより突出させ、この状態でハンドセット２の受話部２ａ外周面に設けた係止凹部２ｃを係止部７ｈに引掛けることにより、電話機を壁掛け用として使用することができる。
【００４６】
一方職場等において、卓上に載置された固定電話機を手で持って移動することがよくあるが、この際電話機を不用意に持ったりすると、電話機本体１のハンドセット載置部６に載置されたハンドセット２が滑り落ちて、ハンドセット２を破損したり、落ちた衝撃でハンドセット２が故障する原因となる。このような場合、ハンドセット保持手段７の係止部材７ｂを回動してからハンドセット固定手段８の固定部材８ｂを固定位置に回動するだけで、電話機本体１にハンドセット２を固定することができるので、電話機を手で持って移動する際ハンドセット２が脱落するのを未然に防止することができる。また、ハンドセット２を取っ手として扱えるので、持ち運びが容易になる。
【００４７】
なお別部材が必要となるが、電話機本体１にハンドセット２を固定して引越し等のために移動する場合、ハンドセット２の受話部２ａの外周に設けた係止凹部２ｃに係止部材７ｂの係止部７ｈを引掛けた状態で、受話部載置部６ａの内周面と受話部２ａ外周面の間に板状の支い物を挿入することにより、受話器本体１に対してハンドセット２を固定することができる。この方法によればハンドセット固定手段８を省略することができる。
【産業上の利用可能性】
【００４８】
本発明の電話機は、電話機本体とハンドセットの間を無線で接続したコードレス型のハンドセットを備えた電話機にも適用できる。
【図面の簡単な説明】
【００４９】
【図１】本発明の実施の形態になる電話機の正面図
【図２】図１のＡ−Ａ線に沿う断面図
【図３】本発明の実施の形態になる電話機に設けられたハンドセット保持手段の分解斜視図
【図４】本発明の実施の形態になる電話機に設けられたハンドセット保持手段の不使用時の斜視図
【図５】本発明の実施の形態になる電話機に設けられたハンドセット保持手段の使用時の斜視図
【図６】本発明の実施の形態になる電話機に設けられたハンドセット固定手段の分解斜視図
【図７】本発明の実施の形態になる電話機に設けられたハンドセット固定手段の不使用時の斜視図
【図８】本発明の実施の形態になる電話機に設けられたハンドセット固定手段の使用時の斜視図
【符号の説明】
【００５０】
１    電話機本体
２      ハンドセット
２ａ    受話部
６      ハンドセット載置部
６ａ    受話部載置部
７      ハンドセット保持手段
７ｂ    係止部材
８      ハンドセット固定手段
８ｂ    固定部材
８ｃ    軸ピン
８ｆ    受話部当接面
８ｇ    ロックピン
【図１】
2005184199.tif 000003
【図２】
2005184199.tif 000004
【図３】
2005184199.tif 000005
【図４】
2005184199.tif 000006
【図５】
2005184199.tif 000007
【図６】
2005184199.tif 000008
【図７】
2005184199.tif 000009
【図８】
2005184199.tif 000010